(57)【要約】【課題】異なる放送方式を受信可能な装置の間で、関連する番組同士を対応付け、継続して視聴し続けることは容易ではない。【解決手段】放送を受信する放送受信部を有する放送受信装置は、さらに放送受信部が受信中の放送番組に対応する、他装置で受信可能な放送番組を決定する他装置番組決定部と、他装置番組決定部で特定した放送番組を示す情報を他装置に送信する番組情報送信部とを有し、前記特定した放送番組を示す情報を他装置に送信する。【選択図】図２
2007081816.tif 000002
【特許請求の範囲】
【請求項１】
放送を受信する放送受信部を有する放送受信装置であって、
さらに放送受信部が受信中の放送番組に対応する、他装置で受信可能な放送番組を決定する他装置番組決定部と、他装置番組決定部で特定した放送番組を示す情報を他装置に送信する番組情報送信部とを有し、
前記特定した放送番組を示す情報を他装置に送信することを特徴とする放送受信装置。
【請求項２】
前記放送受信部は地上デジタル放送の携帯受信サービスの番組を受信し、前記他装置番組決定部は前記他装置で受信可能な放送番組として、前記携帯受信サービスを提供している放送局と同一の放送局の提供する固定受信サービスの番組を選択することを特徴とする、請求項１に記載の放送受信装置。
【請求項３】
さらに自装置で受信中の番組のＥＰＧ情報を取得する自ＥＰＧ取得部と、他装置で受信可能な放送番組に関するＥＰＧ情報を取得する他ＥＰＧ取得部とを有し、
前記他装置番組決定部は、自ＥＰＧ取得部から得た受信中の番組と等しい属性値を有する番組を、他ＥＰＧ取得部から得たＥＰＧ情報の中から選択することを特徴とする、請求項１に記載の放送受信装置。
【請求項４】
前記自ＥＰＧ取得部若しくは他ＥＰＧ取得部は外部ネットワークに接続可能であり、前記外部ネットワークに接続された機器から前記ＥＰＧ情報を取得することを特徴とする、請求項３に記載の放送受信装置。
【請求項５】
前記他装置で受信可能な放送番組が複数個存在する場合、前記他装置番組決定部は、放映時刻が現在時刻に最も近い番組を優先して選択することを特徴とする、請求項１乃至４のいずれかに記載の放送受信装置。
【請求項６】
放送を受信する放送受信部を有する放送受信装置であって、
さらに他装置で視聴中の放送番組を特定可能な情報を受信する番組情報受信部と、前記放送番組に対応する、自装置で受信可能な放送番組を決定する自装置番組決定部とを有し、
前記放送番組を特定可能な情報から自装置で受信可能な放送番組を決定し、受信することを特徴とする放送受信装置。
【請求項７】
第１の放送受信装置において、現在受信中の放送番組に関する属性を抽出した後に当該属性値を第２の放送受信装置に送信し、
第１の放送受信装置とは異なる方式の放送を受信する第２の放送受信装置において、前記属性値を受信し、自局が受信可能な放送番組から前記属性値と同一属性値を有する放送番組を抽出し、受信することを特徴とする放送受信方法。
【請求項８】
請求項１乃至７のいずれかに記載の処理内容を実行可能なプログラム。
【請求項９】
請求項８に記載のプログラムを記録した記録媒体。
【発明の詳細な説明】
【技術分野】
【０００１】
本発明は、複数の装置間で関連する番組の視聴を容易にする放送受信装置、放送受信プログラム、記録媒体に関するものである。
【背景技術】
【０００２】
技術の進展に伴い、テレビ受像機も小型化が進み、現在では携帯電話にもテレビ受像機が搭載されるようになっている。これによって、家の内外を問わず、同一放送の視聴が可能となった。
このような状況下で、外出中に携帯端末でテレビを視聴し、帰宅後は家庭のテレビで同一番組を容易に視聴し続ける、あるいは反対に家庭で視聴していた番組を、外出時にもそのまま視聴し続けるための仕組みが提案されている（特許文献１参照）。
【特許文献１】特開２００４−４８１３２号公報
【発明の開示】
【発明が解決しようとする課題】
【０００３】
しかし、地上デジタル放送で携帯受信サービスが開始され、携帯受信サービスと固定受信サービスとの間でサイマル放送が行われる場合においては、携帯端末では携帯受信サービス、家庭のテレビでは固定受信サービスを視聴するケースが考えられる。このケースに限らず、異なる放送方式で提供される番組同士を対応付け、継続して視聴し続けることは容易ではない。
【課題を解決するための手段】
【０００４】
上記課題を解決するために、本発明は、放送を受信する放送受信部を有する放送受信装置であって、さらに放送受信部が受信中の放送番組に対応する、他装置で受信可能な放送番組を決定する他装置番組決定部と、他装置番組決定部で特定した放送番組を示す情報を他装置に送信する番組情報送信部とを有し、前記特定した放送番組を示す情報を他装置に送信することを特徴とする。
【０００５】
また、本発明は、前記放送受信部は地上デジタル放送の携帯受信サービスの番組を受信し、前記他装置番組決定部は前記他装置で受信可能な放送番組として、前記携帯受信サービスを提供している放送局と同一の放送局の提供する固定受信サービスの番組を選択することを特徴とする。
【０００６】
また、本発明は、さらに自装置で受信中の番組のＥＰＧ情報を取得する自ＥＰＧ取得部と、他装置で受信可能な放送番組に関するＥＰＧ情報を取得する他ＥＰＧ取得部とを有し、前記他装置番組決定部は、自ＥＰＧ取得部から得た受信中の番組と等しい属性値を有する番組を、他ＥＰＧ取得部から得たＥＰＧ情報の中から選択することを特徴とする。
【０００７】
また、本発明は、前記自ＥＰＧ取得部若しくは他ＥＰＧ取得部は外部ネットワークに接続可能であり、前記外部ネットワークに接続された機器から前記ＥＰＧ情報を取得することを特徴とする。
【０００８】
また、本発明は、前記他装置で受信可能な放送番組が複数個存在する場合、前記他装置番組決定部は、放映時刻が現在時刻に最も近い番組を優先して選択することを特徴とする。
【０００９】
また、本発明は、放送を受信する放送受信部を有する放送受信装置であって、さらに他装置で受信中の放送番組を特定可能な情報を受信する番組情報受信部と、前記放送番組に対応する、自装置で受信可能な放送番組を決定する自装置番組決定部とを有し、前記放送番組を特定可能な情報から自装置で受信可能な放送番組を決定し、受信することを特徴とする。
【００１０】
また、本発明は、第１の放送受信装置において、現在受信中の放送番組に関する属性を抽出した後に当該属性値を第２の放送受信装置に送信し、第１の放送受信装置とは異なる方式の放送を受信する第２の放送受信装置において、前記属性値を受信し、自局が受信可能な放送番組から前記属性値と同一属性値を有する放送番組を抽出し、受信することを特徴とする。
【発明の効果】
【００１１】
本発明によれば、自装置で受信中の放送番組に対応する、他装置で受信可能な放送番組を決定し、その情報を他装置に送信するため、自装置で受信していた番組と関連する番組を、他装置で引き続き視聴することが可能となる効果がある。
【００１２】
また、本発明によれば、自装置は地上デジタル放送の携帯受信サービスの番組を受信し、それと同一放送局が提供する固定受信サービスの番組を選択するため、当面はサイマル放送を提供している可能性の高い固定受信サービスの番組を、他装置で引き続き視聴することが可能となる効果がある。
【００１３】
また、本発明によれば、自装置で受信中の番組のＥＰＧ情報に含まれる属性値と等しい属性値を有する番組を選択するため、より関連のある番組を選択し、他装置で引き続き視聴することが可能となる効果がある。
【００１４】
また、本発明によれば、ＥＰＧ情報を外部ネットワークに接続された機器から取得可能なため、チューナから自装置若しくは他装置のＥＰＧ情報を取得できない種類の放送を受信していても、関連のある番組を選択し、他装置で引き続き視聴することが可能となる効果がある。
【００１５】
また、本発明によれば、他装置で受信可能な放送番組が複数個存在する場合、放映時刻が現在時刻に最も近い番組を優先して選択するため、仮に同時刻に関連する番組が放映されていない場合でも、後に関連する番組を他装置で引き続き視聴することが可能となる効果がある。
【００１６】
また、本発明によれば、他装置で受信していた放送番組を特定可能な情報を受信し、自装置で受信可能な放送番組を決定するため、他装置の処理の負荷を増大させずに、関連する番組を自装置で引き続き視聴することが可能となる効果がある。
【００１７】
また、本発明によれば、第１の放送受信装置から第２の受信装置へ、受信中の放送番組に関する属性値を送信しているため、第１の放送受信装置及び第２の放送受信装置は、互いに他装置が受信可能な放送の方式を具体的に知らなくても、引き続き視聴するために必要な情報を伝達することが可能となる効果がある。
【発明を実施するための最良の形態】
【００１８】
（実施の形態１）
本発明の実施の一形態について図１〜図３に基づいて説明すれば、以下のとおりである。
本実施形態では、現在番組を視聴している端末（移行元端末）において、新たに番組を視聴する端末（移行先端末）で視聴する番組を特定する場合の例を示す。
【００１９】
図１は、本実施形態に関わる視聴システムの概略構成を示すブロック図であり、携帯電話１とテレビ２から形成されている。携帯電話１においては地上デジタル放送の携帯受信サービスを、テレビ２においては固定受信サービスを受信可能なものとする。
【００２０】
図２は、携帯電話１のブロック図である。アンテナ１１は、デジタル放送波の受信を行う。放送受信部１２は、アンテナ１１の受信した電波から、指定されたチャンネルの映像・音声、及び番組情報等のデータの情報を抽出する。映像・音声処理部１３は、放送受信部１２より出力された映像及び音声ストリームをデコードする。表示・出力部１４は、映像・音声処理部１３においてデコードされた映像データ・音声データを映像及び音声として出力する。制御部１５は、テレビ２へ送信する命令を作成しリモコン通信部１６に指示を出す。リモコン通信部１６は、制御部１５の指示に基づきテレビ２を制御可能なリモコン信号を発光する。
詳細な処理を説明する前に、地上デジタル放送で視聴局を選択するために用いられているチャンネル番号の扱いについて簡単に説明する。
【００２１】
地上デジタル放送受信機のリモコンによる選局方法には、大きく分けて３通りの方法がある。ワンタッチボタン（１〜１２）による「一発選局」、チャンネルアップダウンボタンによる「アップダウン選局」、３桁チャンネル番号入力による「ダイレクト選局」の３つである。
ここで「ダイレクト選局」とは、ＢＳデジタル放送と同じく、ある特定の放送局の３桁チャンネル番号を、数字ボタン（０〜９）を使って直接指定するものである。この３桁チャンネル番号は以下の式から算出される。
３桁チャンネル番号＝（サービス種別×２００）＋（リモコンキーＩＤ×１０）＋（サービス番号＋１）
【００２２】
ここでサービス種別として、テレビサービス（固定受信サービス）（０）、データサービス（１と２）、部分受信サービス（携帯受信サービス）（３）が割り当てられている。リモコンキーＩＤは、例えば東京圏であればＮＨＫ総合が１、日本テレビが４などのように割り当てられている。サービス番号は、放送局が自局のサービスに、０〜７を割り当てている。
【００２３】
本実施例における携帯電話自体はリモコンで選局されるものではないが、自局が視聴している番組について、上述の３桁チャンネルに相当する情報を有している。
【００２４】
図３は、ユーザが携帯電話１で視聴していた番組を、テレビ２で視聴する際に行われる携帯電話１の処理のフローチャートである。
ここでユーザは携帯電話１を用いて携帯受信サービスを視聴している。この際、アンテナ１１で受信された放送波は放送受信部１２によって映像、音声、データに分離される。ユーザは映像・音声処理部１３及び表示・出力部１４を経由して出力された映像及び音声を視聴している。
ユーザは、携帯電話１で視聴していた携帯受信サービスの番組と同一内容の固定受信サービスの番組をテレビ２で視聴すべく、テレビ２の電源をＯＮにする。
【００２５】
以下、携帯電話１における処理を説明する。
まず、ユーザは携帯電話１に設けられた所定のスイッチ（図示せず）を押すと、制御部１５はそれを検出する（Ｓ１）。
制御部１５は、現在受信中の番組の３桁チャンネル番号を放送受信部１２より入手する。そしてこの１０の位の数を、テレビ２で受信する固定受信サービスにおいても共通のリモコンキーＩＤとして取得する。ここでは、現在受信中の携帯受信サービスの番組の３桁チャンネル番号が６４１であるとすると、リモコンキーＩＤは４となる。
【００２６】
次に制御部１５は、固定受信サービス用の３桁チャンネル番号を生成する（Ｓ２）。上の例においては、サービス種別がテレビサービスなので０、リモコンキーＩＤは上述の通り４、サービス番号は固定的に０とすると、固定受信サービス用の３桁チャンネル番号は（０×２００）＋（４×１０）＋（０＋１）＝０４１となる。
【００２７】
続けて制御部１５は、テレビ２の受信チャンネルを、上で特定した３桁チャンネル番号へ変更するための命令を生成し、リモコン通信部１６経由でテレビ２へリモコン送信する（Ｓ３）。
テレビ２はリモコン信号を受信すると、通常のリモコンによる操作時と同様にして、自局で受信している固定受信サービスのチャンネルを変更する。この処理については通常のテレビにおけるリモコン信号受信時の動作と同じため、記載を省略する。
【００２８】
（実施の形態２）
本発明の実施の一形態について図４及び図５に基づいて説明すれば、以下のとおりである。
本実施形態では、現在番組を視聴している端末（移行元端末）において、新たに番組を視聴する端末（移行先端末）で視聴する番組を特定する際に、内容的に関連の深い番組を選択する場合の例を示す。なお、実施の形態１と同様な内容については説明を省略する。
本実施形態に関わる視聴システムの概略構成は実施の形態１と同様である。
【００２９】
図４は、携帯電話１のブロック図である。ここで各ブロックの名称及び番号については図２と共通のものを使用し、同一のものについては説明を省略する。
放送データ処理部１７は、放送データ中に含まれる、現在視聴中の番組に関する番組情報を解析し抽出する。ネットワーク通信部１８は、インターネット等のネットワーク３から、テレビ２によって受信できるＥＰＧ情報を取得する。これらの番組情報及びＥＰＧ情報には番組名、放送日時、番組内容、Ｇコード等が含まれる。
【００３０】
図５は、ユーザが携帯電話１で視聴していた番組を、テレビ２で視聴する際に行われる携帯電話１の処理のフローチャートである。
実施の形態１と同様な状況において、ユーザは携帯電話１に設けられた所定のスイッチ（図示せず）を押すと、制御部１５はそれを検出して（Ｓ１１）、以下の処理を開始する。
【００３１】
制御部１５は、放送データ処理部１７から得られる現在の時刻と現在視聴中のチャンネル情報から、現在視聴中の番組を特定し、番組名を取得する（Ｓ１２）。続けて、ネットワーク通信部１８よりテレビ２の受信できる放送に関するＥＰＧ情報を取得する。本実施の形態では固定受信サービスに関する電子番組表情報である。このＥＰＧ情報に対して、Ｓ１２で取得した番組名をキーに検索を行い、同一番組名を持つ番組を検出する（Ｓ１３）。ここで番組がいくつ検出されたかによって処理を振り分ける（Ｓ１４）。
【００３２】
番組が１つも検出されなかった場合、制御部１５はその旨を表示・出力部１４に表示し（Ｓ１５）、スイッチ押下検出待ち状態に戻る。
１つだけ検出された場合、その番組のチャンネル番号を先に得たＥＰＧ情報から特定する（Ｓ１７）。複数個発見された場合、制御部１５はその複数個を表示・出力部１４に表示し、ユーザによる選択を行わせ（Ｓ１６）、その結果に基づいて当該番組のチャンネル番号を特定する（Ｓ１７）。
【００３３】
続けて、制御部１５は、特定したチャンネル番号への変更をテレビ２に対して指示するための命令を生成し、リモコン通信部１６経由でテレビ２へリモコン送信する（Ｓ１８）。
テレビ２はリモコン信号を受信すると、通常のリモコンによる操作時と同様にして、自局で受信している固定受信サービスのチャンネルを変更する。この処理については通常のテレビにおけるリモコン信号受信時の動作と同じため、記載を省略する。
【００３４】
（実施の形態３）
本発明の実施の一形態について図６〜８に基づいて説明すれば、以下のとおりである。
本実施形態では、現在番組を視聴している端末（移行元端末）において視聴番組の属性を抽出し、その属性情報を、新たに番組を視聴する端末（移行先端末）へ送信し、移行先端末上で視聴する番組を特定する場合の例を示す。
【００３５】
本実施形態における視聴システムは実施の形態２と同様、図１によって示されるため、説明は省略する。
本実施形態における携帯電話１のブロック図も実施の形態２と同様、図４によって示される。後述のように制御部１５における処理の内容が異なるが、他の各ブロックの処理は同一のため、説明は省略する。
【００３６】
図６は、テレビ２のブロック図である。アンテナ３１、映像・音声処理部３３、表示・出力部３４、放送データ処理部３７は、それぞれ図４における同名のブロックと同一の機能を有するため、説明は省略する。
放送受信部３２は、固定受信サービスを受信可能である。制御部３５は、後述のリモコン通信部３６から入力された指示に基づき、放送受信部３２に対して受信番組変更の指示を行う。リモコン通信部３６は、入力したリモコン信号を制御部３５に伝達する。
【００３７】
図７は、ユーザが携帯電話１で視聴していた番組を、テレビ２で視聴する際に行われる携帯電話１の処理のフローチャートである。
Ｓ２１のスイッチ押下検出、Ｓ２２の受信中番組情報から番組名を検出するステップは、それぞれ図５のＳ１１、Ｓ１２と同一のため、説明は省略する。
Ｓ２２の後、制御部３５は、得られた番組名をリモコン通信部３６経由でテレビ２宛てに、視聴番組変更命令として送信する（Ｓ２３）。
【００３８】
図８は、リモコン信号の検出以降のテレビ２の処理のフローチャートである。
リモコン通信部３６は、リモコン信号を検出する（Ｓ３１）と、当該信号に含まれる命令を制御部３５に伝達する。制御部３５は、受信した命令の内容を判別し、視聴番組変更命令であればその中から番組名を抽出する。続けて制御部３５は、放送データ処理部３７より、自端末の受信できる放送に関するＥＰＧ情報を取得する。本実施の形態では固定受信サービスに関する電子番組表情報である。このＥＰＧ情報に対して、携帯電話１より伝達された番組名をキーに検索を行い、同一番組名を持つ番組を検出する（Ｓ３２）。ここで番組がいくつ検出されたかによって処理を振り分ける（Ｓ３３）。
【００３９】
番組が１つも検出されなかった場合、制御部３５はその旨を表示・出力部３４に表示し（Ｓ３４）、スイッチ押下検出待ち状態に戻る。
１つだけ検出された場合、その番組のチャンネル番号を先に得たＥＰＧ情報から特定する（Ｓ３６）。複数個発見された場合、制御部３５はその複数個を表示・出力部３４に表示し、ユーザによる選択を行わせ（Ｓ３５）、その結果に基づいて当該番組のチャンネル番号を特定する（Ｓ３６）。
【００４０】
続けて、制御部３５は、特定したチャンネル番号を用いて、放送受信部３２で受信する番組のチャンネル番号を変更する（Ｓ３７）。これによって、携帯電話１で受信していた携帯受信サービスの番組と同一の番組名を持つ番組を、テレビ２の固定受信サービスでも受信することができる。
【００４１】
（実施の形態４）
本発明の実施の一形態について図９〜１２に基づいて説明すれば、以下のとおりである。
本実施形態では、テレビで視聴していた放送と関連する放送を携帯電話で引き続き視聴する場合の例を示す。
本実施形態における視聴システムは実施の形態１と同様、図１によって示されるため、説明は省略する。
【００４２】
図９は、本実施形態における携帯電話１のブロック図である。基本的には図２と同様である。異なるところは、制御部１５が放送受信部１２に指示を出すところと、リモコン通信部１６が双方向リモコンであり、制御部１５に対して受信信号の伝達を行える点である。
【００４３】
図１０は、本実施形態におけるテレビ２のブロック図である。基本的には図６と同様である。異なるところは、放送データ処理部３７が存在しないことと、リモコン通信部３６が双方向リモコンであり、制御部３５からの命令を外部に送信できる点である。
【００４４】
図１１は、本実施形態における携帯電話１の処理のフローチャートである。ユーザは携帯電話１に設けられた所定のスイッチ（図示せず）を押すと、制御部１５はそれを検出して（Ｓ４１）、以下の処理を開始する。
【００４５】
制御部１５は、テレビ機能を起動するとともに（Ｓ４２）、テレビ２に対するチャネル情報要求を作成する。ここで制御部１５は、携帯電話１が携帯受信サービスを受信できることを記憶しており、携帯受信サービスを受信できる旨をこのチャネル情報要求に付加する。そしてリモコン通信部１６経由でテレビ２へ送信し（Ｓ４３）、応答を待つ（Ｓ４４）。
【００４６】
リモコン処理部１６は、図１２に後述する処理を行ったテレビ２からの応答を受信すると（Ｓ４５）、制御部１５へ伝達する。制御部１５は、その応答に含まれたチャンネル情報を取り出し、放送受信部１２にそのチャンネルを設定する（Ｓ４６）。放送受信部１２は、視聴チャンネルをこのチャンネルに変更し、映像・音声処理部１３、表示・出力部１４を経由して、映像と音声を出力する。これによって、テレビ２において視聴していた固定受信サービスの番組と同じ放送局の送出する携帯受信サービスの番組の受信が可能となる。
【００４７】
図１２は、リモコン信号を検出する際のテレビ２の処理のフローチャートである。
リモコン通信部３６は、リモコン信号を受信する（Ｓ５１）と、当該信号に含まれる命令を制御部３５に伝達する。制御部３５は、受信した命令の内容を判別する。命令がチャンネル情報要求であれば、現在視聴している番組の３桁チャンネル情報を放送受信部３２から受信し、携帯受信サービス用の３桁チャンネル番号を算出する（Ｓ５２）。この算出は、実施の形態１で説明した式において、サービス種別＝３（部分受信サービス）、リモコンキーＩＤ＝４、サービス番号＝０を代入することにより行われる（テレビ２で視聴中の番組の３桁チャンネル番号が０４１の場合）。そしてそのチャンネル番号を含むチャンネル情報応答を作成し、リモコン通信部３６経由で携帯電話１へ送信する（Ｓ５３）。
【００４８】
なお、以上の実施例においては、携帯電話１とテレビ２との組み合わせについて示したが、移行元端末、移行先端末はこの組み合わせに限らず、テレビから携帯電話に視聴を移行しても良いし、ＰＣなど他の種類の端末を利用しても良い。
また、携帯電話１、テレビ２とも放送波によって番組を受信する例について示したが、番組を伝達する媒体はこれに限らず、ケーブル（ケーブルテレビ）や有線／無線ＬＡＮ（インターネット放送）など、他のものであっても良い。
また、携帯電話１で携帯受信サービスを受信し、テレビ２で固定受信サービスを受信する例について示したが、受信する放送の種類はこれに限らず、移行元端末において現在視聴中の番組に関する属性を抽出でき、この属性と移行先端末で視聴する番組との対応付けが行えるものであれば良い。このため、携帯電話１、テレビ２が受信する放送は、携帯受信サービス、固定受信サービス、その他のデジタル放送、アナログ放送等であっても良い。
【００４９】
また、実施の形態２においては、テレビ２で受信する番組情報を取得するためにネットワーク３経由で入手したＥＰＧ情報を利用する例について示したが、移行先端末で受信する番組情報の入手先はこれに限らず、例えば携帯受信サービスのデータとして固定受信サービスのＥＰＧ情報が送信されることにより、放送受信部１２から固定受信サービスのＥＰＧを取得できるものであっても良いし、携帯電話１に固定受信サービス用のチューナが搭載されており、そのチューナから固定受信サービス用のＥＰＧ情報を入手しても良い。同様に、移行元端末で受信する番組情報の入手先はチューナに限らず、ネットワーク経由等であっても良い。
【００５０】
また、実施の形態１〜３においては、処理手順として予めテレビ２の電源をＯＮにした状態で携帯電話１による制御を開始する例について示したが、電源をＯＮにするタイミングはこれに限らず、携帯電話１からチャンネル番号に相当するリモコン信号を送る直前、具体的には図５のＳ１１〜Ｓ１７のいずれかのタイミングでリモコンによってＯＮにしても良い。Ｓ１５でＯＮにする場合はテレビ２のチャンネル変更は行われないが、その後ユーザが所望の番組を速やかにテレビ２で選択することが可能となり、その他のタイミングでＯＮにする場合は１つのアクションで電源ＯＮとチャンネル選択が可能となり、利便性が増す。
【００５１】
また、実施の形態２及び３においては、携帯電話１で視聴している番組をテレビ２でも続けて視聴するために、携帯電話１で受信している携帯受信サービスの番組名をキーとしてテレビ２のＥＰＧ情報から検索を行いテレビ２で視聴する番組を特定したが、番組の特定の方法はこれに限らず、出演者名など他の属性を用いて特定しても良い。また、ＥＰＧ情報にサイマル放送である旨やどの放送とサイマル放送であるかが記載されている場合は、これらの情報を用いて番組の対応付けを行っても良い。また、時間指定を併用して、現在放映されている番組や近い将来に放映される番組を優先して番組を特定しても良い。放映時刻が現在より後になる場合、テレビ２ではその番組が放映されるチャンネルを表示しても良いし、その時間になってから表示しても良い。
【００５２】
また、実施の形態１〜３においては、携帯電話１からテレビ２へ送信するリモコン信号の内容がチャンネル変更である例について示したが、リモコン信号による制御内容はこれに限らず、将来放送される番組の視聴・録画予約等であっても良い。
【００５３】
また、実施の形態３においては、携帯電話１において視聴していた番組の属性（番組名）を抽出した上でテレビ２に視聴番組変更命令として送信しているが、属性の抽出を行わず、携帯電話１で受信・視聴している復号化前の放送データをテレビ２へ転送し、テレビ２において携帯電話１で視聴している携帯受信サービスの番組を特定し、対応する固定受信サービスの番組を特定しても良い。
【産業上の利用可能性】
【００５４】
本発明に係る端末はテレビ等の放送の受信に利用できる。
【図面の簡単な説明】
【００５５】
【図１】本発明の一実施形態に係る放送受信システムの概略構成を示すブロック図である。
【図２】実施の形態１に係る携帯電話のブロック図である。
【図３】実施の形態１に係る携帯電話の処理のフローチャートである。
【図４】実施の形態２に係る携帯電話のブロック図である。
【図５】実施の形態２に係る携帯電話の処理のフローチャートである。
【図６】実施の形態３に係るテレビのブロック図である。
【図７】実施の形態３に係る携帯電話の処理のフローチャートである。
【図８】実施の形態３に係るテレビの処理のフローチャートである。
【図９】実施の形態４に係る携帯電話のブロック図である。
【図１０】実施の形態４に係るテレビのブロック図である。
【図１１】実施の形態４に係る携帯電話の処理のフローチャートである。
【図１２】実施の形態４に係るテレビの処理のフローチャートである。
【符号の説明】
【００５６】
１…携帯電話、２…テレビ、３…外部ネットワーク、１１，３１…アンテナ、１２，３２…放送受信部、１３，３３…映像・音声処理部、１４，３４…表示・出力部、１５，３５…制御部、１６，３６…リモコン通信部、１７，３７…放送データ処理部、１８…ネットワーク通信部。
【図１】
2007081816.tif 000003
【図２】
2007081816.tif 000004
【図３】
2007081816.tif 000005
【図４】
2007081816.tif 000006
【図５】
2007081816.tif 000007
【図６】
2007081816.tif 000008
【図７】
2007081816.tif 000009
【図８】
2007081816.tif 000010
【図９】
2007081816.tif 000011
【図１０】
2007081816.tif 000012
【図１１】
2007081816.tif 000013
【図１２】
2007081816.tif 000014